(57)【要約】【課題】  縦姿勢のガラス板から切断により分離させた不要部について、その効率的な廃棄を可能とすること。【解決手段】  切断室３と、切断室３内で縦姿勢のガラス板４から不要部４ａを切断して分離させる切断機構６とを備えたガラス板の製造装置１について、切断前後で不要部４ａの保持が可能な第一保持部材８を備え、切断室３が、切断後の不要部４ａを室外に排出して廃棄するための廃棄口１２を有し、廃棄口１２は、第一保持部材８の保持の解除に伴って落下する切断後の不要部４ａ（廃棄対象不要部４ｘ）を受け入れるように配置される構成とした。【選択図】図１
2020176038.tif 000002
【特許請求の範囲】
【請求項１】
切断室と、前記切断室内で縦姿勢のガラス板から不要部を切断して分離させる切断機構とを備えたガラス板の製造装置であって、
切断前後で前記不要部の保持が可能な第一保持部材を備え、
前記切断室が、切断後の前記不要部を室外に排出して廃棄するための廃棄口を有し、
前記廃棄口は、前記第一保持部材の保持の解除に伴って落下する切断後の前記不要部を受け入れるように配置されることを特徴とするガラス板の製造装置。
【請求項２】
落下中の前記不要部を前記廃棄口に案内するための案内部材を備え、
前記案内部材が、前記廃棄口上で上下方向に延びていることを特徴とする請求項１に記載のガラス板の製造装置。
【請求項３】
前記第一保持部材が、切断前後で前記不要部の吸着保持が可能な吸着部を備え、
前記案内部材は、吸着保持の解除時に前記吸着部から噴射される真空破壊ガスの噴射方向の下流側に少なくとも配置されることを特徴とする請求項２に記載のガラス板の製造装置。
【請求項４】
切断後の前記不要部を前記第一保持部材から受け取り前記切断室外に取り出すための取出機構を備えることを特徴とする請求項１〜３のいずれかに記載のガラス板の製造装置。
【請求項５】
前記取出機構が、切断後の前記不要部の保持および保持の解除が可能な第二保持部材を備え、
前記第二保持部材が、前記第一保持部材から切断後の前記不要部を受け取る受取位置と、前記第一保持部材による前記不要部の移送経路から離間した退避位置との間を移動可能であることを特徴とする請求項４に記載のガラス板の製造装置。
【請求項６】
前記切断室が、切断後の前記不要部を室外に取り出すための取出口を有し、
前記取出口が、前記切断室内で上下方向に延びる取出経路の終端に配置され、
前記取出機構が、切断後の前記不要部の保持および保持の解除が可能な第三保持部材を備え、
前記第二保持部材と前記第三保持部材との少なくとも一方が、前記取出経路に沿って上下動が可能であることを特徴とする請求項５に記載のガラス板の製造装置。
【請求項７】
前記退避位置および前記取出経路が、前記廃棄口上に位置していることを特徴とする請求項６に記載のガラス板の製造装置。
【請求項８】
切断室内で縦姿勢のガラス板から不要部を切断して分離させる切断工程を備えたガラス板の製造方法であって、
前記切断室が、切断後の前記不要部を室外に排出して廃棄するための廃棄口を有し、
切断前後で前記不要部の保持が可能な第一保持部材を用い、前記第一保持部材による切断後の前記不要部の保持を解除するのに伴って、切断後の前記不要部を前記廃棄口に向けて落下させる廃棄工程を実行することを特徴とするガラス板の製造方法。
【発明の詳細な説明】
【技術分野】
【０００１】
本発明は、ガラス板の製造装置および製造方法に関する。
【背景技術】
【０００２】
周知のように、ガラス板を製造するための手法としては、オーバーフローダウンドロー法、スロットダウンドロー法、リドロー法に代表されるダウンドロー法を利用した手法や、フロート法を利用した手法が広く採用されている。これらの手法を利用したガラス板の製造工程の一例としては、以下のようなものが挙げられる。
【０００３】
はじめに、溶融ガラスからガラスリボンを連続的に成形する。このとき、ガラスリボンの幅方向の両端部には、中央部と比較して厚みの大きい耳部と称される部位が形成される。次に、ガラスリボンを所定の長さ毎に幅方向に切断することで、ガラスリボンから製品ガラス板の元となるガラス板を繰り返し切り出す。次に、これらのガラス板から耳部を含む不要部（製品にならない部位）を切断して分離させる。その後、不要部を分離させたガラス板に対して、研削・研磨加工や洗浄処理等の各種工程を施すことで、製品ガラス板が製造される。
【０００４】
ここで、ダウンドロー法を利用してガラス板を製造する場合には、成形後のガラスリボンが縦姿勢（鉛直姿勢）をとった状態にある。そのため、平面的なスペースを省略する観点等から、縦姿勢のガラスリボンから切り出したガラス板について、これを縦姿勢のまま搬送すると共に、その搬送経路上にてガラス板から不要部を切断する場合がある（特許文献１を参照）。
【先行技術文献】
【特許文献】
【０００５】
【特許文献１】特開２０１７−２０６４０７号公報
【発明の概要】
【発明が解決しようとする課題】
【０００６】
ところで、上述のような態様の下、縦姿勢のガラス板から不要部を切断して分離させる場合には、製品ガラス板の生産性を向上させる観点等から、分離後の不要部を効率的に廃棄することが要求される。しかしながら、このような要求を満足させる手法が確立されていないという問題があった。
【０００７】
上記の事情に鑑みなされた本発明は、縦姿勢のガラス板から切断により分離させた不要部について、その効率的な廃棄を可能とすることを技術的な課題とする。
【課題を解決するための手段】
【０００８】
上記の課題を解決するための本発明は、切断室と、切断室内で縦姿勢のガラス板から不要部を切断して分離させる切断機構とを備えたガラス板の製造装置であって、切断前後で不要部の保持が可能な第一保持部材を備え、切断室が、切断後の不要部を室外に排出して廃棄するための廃棄口を有し、廃棄口は、第一保持部材の保持の解除に伴って落下する切断後の不要部を受け入れるように配置されることに特徴付けられる。
【０００９】
本製造装置では、切断前後で不要部を保持する第一保持部材が、そのまま切断後の不要部を廃棄口に向けて落下させ、これに伴って不要部が切断室外に排出されて廃棄される。その結果、不要部を効率的に廃棄することが可能となる。なお、本製造装置によれば、副次的に下記のような効果をも得ることができる。すなわち、不要部の廃棄先よりも切断室が上方に位置するため、例えば、落下させた不要部に起因してガラス粉が発生した場合でも、このガラス粉が切断室内に侵入することを抑制できる。従って、製造されるガラス板の品質を向上させる上でも有利となる。
【００１０】
上記の構成では、落下中の不要部を廃棄口に案内するための案内部材を備え、案内部材が、廃棄口上で上下方向に延びていることが好ましい。
【００１１】
このようにすれば、案内部材を備えることで、廃棄口に不要部を案内しやすくなるため、より正確な廃棄の実行が可能となる。また、案内部材が廃棄口上で上下方向に延びていることから、廃棄のための設備を設置するにあたり、平面的なスペースを可及的に省略することができる。
【００１２】
上記の構成では、第一保持部材が、切断前後で不要部の吸着保持が可能な吸着部を備え、案内部材は、吸着保持の解除時に吸着部から噴射される真空破壊ガスの噴射方向の下流側に少なくとも配置されることが好ましい。
【００１３】
このようにすれば、吸着保持の解除時に吸着部から不要部に対して噴射される真空破壊ガスにより、不要部が速やかかつ確実に吸着部から分離する。また、不要部は、吸着部から遠ざかりながら落下するので、落下中の不要部と吸着部との接触を好適に回避できる。加えて、真空破壊ガスの噴射方向の下流側に案内部材が位置するので、不要部は廃棄口に確実に案内される。
【００１４】
上記の構成では、切断後の不要部を第一保持部材から受け取り切断室外に取り出すための取出機構を備えることが好ましい。
【００１５】
このようにすれば、取出機構により、切断後の不要部を切断室外に取り出すことができる。これにより、不要部の切断面を評価でき、これに付随して切断状態の良否の評価を行うことが可能となる。さらに、不要部の強度評価・管理も行うことができる。
【００１６】
上記の構成では、取出機構が、切断後の不要部の保持および保持の解除が可能な第二保持部材を備え、第二保持部材が、第一保持部材から切断後の不要部を受け取る受取位置と、第一保持部材による不要部の移送経路から離間した退避位置との間を移動可能であることが好ましい。
【００１７】
このようにすれば、第一保持部材から不要部を受け取った第二保持部材が退避位置に移動することで、不要部（後に切断室外に取り出される不要部）を第一保持部材による不要部の移送経路から離間させることができる。これに伴って、後続のガラス板（不要部と未分離の状態にあるガラス板）を新たに切断機構に搬入し、不要部の切断を行うことが可能となる。つまり、新たなガラス板から不要部を切断して分離させる作業を中断することなく、切断後の不要部を切断室外に取り出す作業を行うことができる。
【００１８】
上記の構成では、切断室が、切断後の不要部を室外に取り出すための取出口を有し、取出口が、切断室内で上下方向に延びる取出経路の終端に配置され、取出機構が、切断後の不要部の保持および保持の解除が可能な第三保持部材を備え、第二保持部材と第三保持部材との少なくとも一方が、取出経路に沿って上下動が可能であることが好ましい。
【００１９】
このようにすれば、第二保持部材と第三保持部材とのうち、取出経路に沿って上下動が可能である保持部材が、不要部を保持した状態で上下動することにより、不要部を取出経路に沿って送ることができる。これにより、例えば、不要部が上下方向に沿って長尺であるような場合でも、送りに伴って取出口に到達した不要部の部位を順次に切り出していくことが可能となり、不要部を複数の小部位に分割しながら取り出すことができる。
【００２０】
上記の構成では、退避位置および取出経路が、廃棄口上に位置していることが好ましい。
【００２１】
このようにすれば、取出し作業中に不要部が割れてガラス片が発生したような場合でも、落下したガラス片が廃棄口を通じて切断室外に排出されるため、切断室内の汚染を好適に防止することが可能となる。
【００２２】
また、上記の課題を解決するための本発明は、切断室内で縦姿勢のガラス板から不要部を切断して分離させる切断工程を備えたガラス板の製造方法であって、切断室が、切断後の不要部を室外に排出して廃棄するための廃棄口を有し、切断前後で不要部の保持が可能な第一保持部材を用い、第一保持部材による切断後の不要部の保持を解除するのに伴って、切断後の不要部を廃棄口に向けて落下させる廃棄工程を実行することに特徴付けられる。
【００２３】
本製造方法によれば、上記のガラス板の製造装置に係る説明で既述の作用・効果を同様に得ることが可能である。
【発明の効果】
【００２４】
本発明に係るガラス板の製造装置および製造方法によれば、縦姿勢のガラス板から切断により分離させた不要部について、その効率的な廃棄が可能となる。
【図面の簡単な説明】
【００２５】
【図１】ガラス板の製造装置および製造方法を示す断面図である。
【図２】ガラス板の製造装置および製造方法を示す平面図である。
【図３】ガラス板の製造装置を用いた切断工程の態様を示す斜視図である。
【図４】ガラス板の製造装置を用いた切断工程の態様を示す斜視図である。
【図５】ガラス板の製造装置を用いた廃棄工程の態様を示す斜視図である。
【図６】ガラス板の製造装置を用いた取出工程の態様を示す斜視図である。
【図７】ガラス板の製造装置を用いた取出工程の態様を示す斜視図である。
【図８】ガラス板の製造装置を用いた取出工程の態様を示す斜視図である。
【図９】ガラス板の製造装置を用いた取出工程の態様を示す斜視図である。
【図１０】ガラス板の製造装置を用いた取出工程の態様を示す斜視図である。
【図１１】ガラス板の製造装置を用いた取出工程の態様を示す斜視図である。
【図１２】ガラス板の製造装置を用いた取出工程の態様を示す斜視図である。
【図１３】ガラス板の製造装置を用いた取出工程の態様を示す斜視図である。
【図１４】ガラス板の製造装置を用いた取出工程の態様を示す斜視図である。
【図１５】ガラス板の製造装置を用いた取出工程の態様を示す斜視図である。
【図１６】ガラス板の製造装置を用いた取出工程の態様を示す斜視図である。
【発明を実施するための形態】
【００２６】
以下、本発明の実施形態に係るガラス板の製造装置および製造方法について、添付の図面を参照しながら説明する。なお、実施形態の説明で参照する複数の図面の相互間において、Ｘ方向同士、Ｙ方向同士、及びＺ方向同士は、同方向である。また、Ｘ方向、Ｙ方向、及びＺ方向は、互いに直交する方向である。
【００２７】
図１及び図２に示すように、本実施形態に係るガラス板の製造方法（以下、本製造方法と表記）の実行には、ガラス板の製造装置１（以下、単に製造装置１と表記）を用いる。
【００２８】
製造装置１は、廃棄室２と、切断室３とを備える。製造装置１は、複数階建て構造の建築物に設けられ、廃棄室２は、下階に位置し、切断室３は、廃棄室２の上階に位置する。この製造装置１は、切断室３内にてガラス板４から製品にならない不要部４ａを切断して分離させるように構成されている。さらに、製造装置１は、切断後の不要部４ａについて、（１）落下による廃棄室２への廃棄、（２）切断室３外への取出し、のいずれかを行う構成となっている。そのため、製造装置１は、廃棄のための動作（以下、廃棄動作と表記）と、取出しのための動作（以下、取出動作と表記）との切り換えが可能となっている。
【００２９】
ここで、以下の説明では、切断後に廃棄される不要部４ａを廃棄対象不要部４ｘと表記し、切断後に取り出される不要部４ａを取出対象不要部４ｙと表記して区別する。さらに、両者４ｘ，４ｙに共通する説明については、両者４ｘ，４ｙを区別せずに単に不要部４ａと表記する。
【００３０】
製造装置１は、上記の廃棄室２および切断室３と、切断室３内でガラス板４を縦姿勢の状態で搬送経路Ｒ１（ガラス板４の幅方向）に沿って搬送するための搬送機構５と、切断室３内で縦姿勢のガラス板４から不要部４ａを切断して分離させるための切断機構６と、切断前後で不要部４ａを保持する第一保持部材８と、第一保持部材８から切断後の取出対象不要部４ｙを受け取って切断室３外に取り出すための取出機構７とを、主たる構成要素として備えている。
【００３１】
ここで、ガラス板４は、一対の不要部４ａ，４ａと、これら不要部４ａとは異なって製品になる製品部４ｂとを有する。一対の不要部４ａ，４ａは、それぞれ搬送中にガラス板４の先頭部となる部位および最後部となる部位であり、これら一対の不要部４ａ，４ａの相互間に存する部位が製品部４ｂである。なお、一対の不要部４ａ，４ａの各々には、他の部位と比較して厚みの大きい耳部と称される部位が含まれている。しかしながら、この限りではなく、不要部４ａに耳部が含まれない場合もある。
【００３２】
切断室３は、天井壁９と床壁１０と側壁１１とを有する。床壁１０には、切断後の廃棄対象不要部４ｘを廃棄室２に排出して廃棄するための廃棄口１２が形成されている。この廃棄口１２を通じて切断室３と廃棄室２とが空間的に繋がっている。なお、切断室３内は、廃棄室２内よりも気圧が高くなるように調節されている。側壁１１には、切断後の取出対象不要部４ｙを切断室３外に取り出すための取出口１３が形成されている。
【００３３】
廃棄室２は、天井壁１４と床壁１５と側壁１６とを有する。床壁１５には、切断室３から落下してくる廃棄対象不要部４ｘを収容するための箱型の収容容器１７が配置されている。この収容容器１７は廃棄口１２の真下に配置されている。
【００３４】
廃棄口１２は、平面視で（Ｚ方向から視て）ガラス板４の搬送経路Ｒ１から離間した位置で開口している。この廃棄口１２上には、落下中の廃棄対象不要部４ｘを廃棄口１２に案内するための案内部材１８が上下方向（Ｚ方向）に延びるように設置されている。案内部材１８は、上下方向に直交する断面形状がＬ字状であると共に、その下端部が廃棄口１２の縁部に沿って固定されている。なお、案内部材１８の上端部は、落下前の廃棄対象不要部４ｘの上端部と略同一高さに位置している。しかしながら、この限りではなく、案内部材１８の上端部が、落下前の廃棄対象不要部４ｘの上端部よりも低位置にあってもよいし、高位置にあってもよい。
【００３５】
取出口１３は、切断室３内で上下方向に延びる取出経路Ｒ２の終端（取出経路Ｒ２の下流端）に配置されている。取出経路Ｒ２は、その経路全長が廃棄口１２上に位置している。さらに、取出口１３は、案内部材１８の上端部よりも更に上方に位置している。
【００３６】
搬送機構５は、ガラス板４の上辺部（製品部４ｂの上辺部）を把持する複数の把持部材１９を備えている。複数の把持部材１９は、Ｘ方向に延びた図示省略のレールに沿って移動が可能となっている。これにより、複数の把持部材１９によってガラス板４を吊り下げ支持した状態でＸ方向に搬送することが可能となっている。
【００３７】
切断機構６は、ガラス板４の搬送経路Ｒ１上に配置されており、相対的に搬送経路Ｒ１の上流側に配置されたスクライブ機構２０と、相対的に搬送経路Ｒ１の下流側に配置された折割機構２１とを備えている。
【００３８】
スクライブ機構２０は、搬送機構５により搬入されてくるガラス板４に切断の起点となるスクライブ線Ｓを形成するための機構である。このスクライブ機構２０は、ガラス板４の表面上を不要部４ａと製品部４ｂとの境界Ｌに沿って転動しながらスクライブ線Ｓを形成するスクライブホイール２２と、ガラス板４を裏面側から支持することによってスクライブホイール２２でのスクライブ線Ｓの形成を補助する補助バー２３とを備えている。なお、スクライブ線Ｓの形成後のガラス板４は、搬送機構５によりスクライブ機構２０から搬出された後、搬送経路Ｒ１の下流側に搬送されて折割機構２１に搬入される。
【００３９】
折割機構２１は、スクライブ線Ｓを形成済みのガラス板４を折り割って切断するための機構である。この折割機構２１は、ガラス板４の製品部４ｂにおけるスクライブ線Ｓの近傍を表裏から挟んで支持する一対の支持バー２４，２４と、矢印Ａで示すようにガラス板４の不要部４ａを表面側から裏面側に押し込むのに伴い、スクライブ線Ｓの周辺部を表面側が凸となるように湾曲させて曲げ応力を作用させる折割バー２５とを備えている。なお、詳細は後述するが、不要部４ａと分離させた後のガラス板４（製品部４ｂのみでなるガラス板４）は、切断後の不要部４ａとの衝突を回避しつつ、搬送経路Ｒ１の下流側に搬送される。
【００４０】
第一保持部材８は、折割機構２１に併設されている。この第一保持部材８は、切断前後で不要部４ａを縦姿勢のまま保持することが可能である。これにより、第一保持部材８は、折割機構２１に搬入されたガラス板４について、当該ガラス板４の折割前から不要部４ａを保持すると共に、折割中および折割後においても不要部４ａを保持する構成となっている。折割中における第一保持部材８は、折割バー２５による不要部４ａの押し込み動作に付随して、スクライブ線Ｓを中心に旋回する。
【００４１】
第一保持部材８は、不要部４ａの保持のために、当該不要部４ａの吸着保持が可能な複数の吸着部２６を備えている。これら複数の吸着部２６は上下複数段に並べて配置されている。各吸着部２６は、図示省略の負圧発生手段（例えば真空ポンプ）と接続されており、負圧発生手段の稼働に伴ってガラス板４の不要部４ａを裏面側から吸着保持することが可能である。さらに、吸着部２６は、吸着保持の解除時において、不要部４ａに対して裏面側から表面側に流れる向きに真空破壊ガスとしての吸着破壊ガスＧ（例えば空気）を噴射することが可能である。
【００４２】
なお、本実施形態においては、第一保持部材８が、吸着部２６による吸着保持に伴って不要部４ａを保持する構成となっているが、これに限定されるものではない。例えば、不要部４ａの保持のために、第一保持部材８に開閉動作を行う一対の爪部を設け、一対の爪部を閉じることで不要部４ａを表裏から把持する構成としてもよい。
【００４３】
以下、折割における第一保持部材８の動作について説明する。
【００４４】
前述の通り、折割中における第一保持部材８は、スクライブ線Ｓを中心に旋回する。その際、分離した不要部４ａがガラス板４と接触するのを防止するため、第一保持部材８は、不要部４ａの表面側から裏面側に向かって移動すると共に、搬送経路Ｒ１に沿ってガラス板４から離間するように移動する。これにより、不要部４ａの高さ位置を変化させることなく、不要部４ａが矢印Ｂに沿って第一保持部材８により運ばれ、不要部４ａが廃棄位置Ｐ１に到達する。なお、廃棄位置Ｐ１は、廃棄口１２の真上に位置しており、ガラス板４の搬送経路Ｒ１から離間した位置となっている。製造装置１が取出動作を行う場合、廃棄位置Ｐ１は取出機構７の受取位置となる。このため、廃棄位置Ｐ１に到達する時点までは、製造装置１が廃棄動作を行う場合と、取出動作を行う場合とで、製造装置１の動作が共通している。
【００４５】
次に、製造装置１が廃棄動作を行う場合には、吸着部２６による廃棄対象不要部４ｘの吸着保持を解除するのに伴い、廃棄対象不要部４ｘを縦姿勢のまま廃棄口１２に向けて落下させる。また、吸着保持の解除時に、吸着部２６が廃棄対象不要部４ｘに対して吸着破壊ガスＧ（ここでは案内部材１８側に流れる向きのガス）を噴射することで、廃棄対象不要部４ｘを矢印Ｃに示すように噴射方向の下流側に配置される案内部材１８側に誘導する。なお、吸着部２６による吸着保持の解除後の第一保持部材８は、ガラス板４を折り割って切断する前の位置に復帰し、新たなガラス板４が折割機構２１に搬入されてくるまで待機する。
【００４６】
一方、製造装置１が取出動作を行う場合には、取出機構７に備わった第二保持部材２７が、取出対象不要部４ｙの保持を完了するまでの間、吸着部２６による取出対象不要部４ｙの吸着保持を維持する。第二保持部材２７による取出対象不要部４ｙの保持が完了すると、吸着部２６が取出対象不要部４ｙの吸着保持を解除する。このとき、吸着部２６は取出対象不要部４ｙに対して吸着破壊ガスＧを噴射し、迅速な吸着保持の解除が図られる。なお、吸着部２６による吸着保持の解除後の第一保持部材８は、ガラス板４を折り割って切断する前の位置に復帰し、新たなガラス板４が折割機構２１に搬入されてくるまで待機する。
【００４７】
取出機構７は、上記の第二保持部材２７と、第三保持部材２８（図１及び図２では図示省略、図８〜図１６を参照）とを備えている。
【００４８】
第二保持部材２７および第三保持部材２８の各々は、取出対象不要部４ｙの縦姿勢での保持および保持の解除が可能である。また、両保持部材２７，２８のそれぞれは、取出対象不要部４ｙの保持および保持の解除のために、開閉動作が可能な一対の爪部２７ａ，２７ａ（２８ａ，２８ａ）を備えている。ここで、以下の説明では、一対の爪部２７ａ，２７ａ（２８ａ，２８ａ）が取出対象不要部４ｙの保持のために閉じた状態（取出対象不要部４ｙを表裏から把持した状態）を閉状態と表記し、保持の解除のために開いた状態を開状態と表記する。
【００４９】
第二保持部材２７は、上下方向（Ｚ方向）に延びる軸の周りを旋回することが可能となっており、旋回に伴って受取位置Ｐ１と退避位置Ｐ２との間の移動が可能である（図２参照）。これにより、第二保持部材２７は、受取位置Ｐ１（廃棄位置Ｐ１）にて取出対象不要部４ｙを第一保持部材８から受け取った後、取出対象不要部４ｙの高さ位置を変化させることなく、取出対象不要部４ｙを矢印Ｄに沿って運んで退避位置Ｐ２に到達させる。なお、退避位置Ｐ２は、廃棄口１２の真上に位置しており、ガラス板４の搬送経路Ｒ１から離間した位置となっている。また、退避位置Ｐ２は、上記の取出経路Ｒ２の始端（取出経路Ｒ２の上流端）でもある。
【００５０】
ここで、本実施形態においては、上記の受取位置Ｐ１と退避位置Ｐ２との双方が、ガラス板４の搬送経路Ｒ１から離間して位置しているが、これに限定されるものではない。例えば、受取位置Ｐ１と退避位置Ｐ２とのうち、退避位置Ｐ２のみがガラス板４の搬送経路Ｒ１から離間して位置していてもよい。廃棄動作や取出動作を行いながらガラス板４を搬出することによって製造効率を高める観点では、受取位置Ｐ１（廃棄位置Ｐ１）と退避位置Ｐ２との双方が、ガラス板４の搬送経路Ｒ１から離間して位置していることが好ましい。
【００５１】
第三保持部材２８は、取出経路Ｒ２に沿って上下動が可能である。詳細には、第三保持部材２８は、上下動する範囲の下限であるストローク下端と、上限であるストローク上端との間を移動することが可能である。なお、第三保持部材２８の上下動のための機構の一例としては、シリンダー機構が挙げられる。これにより、第三保持部材２８は、一対の爪部２８ａ，２８ａを閉状態として取出対象不要部４ｙを保持した状態で、自身が上方に移動するのに伴い、取出対象不要部４ｙを退避位置Ｐ２から上方に持ち上げて取出経路Ｒ２の下流側に送る。
【００５２】
ここで、本実施形態では、第三保持部材２８とは異なり、第二保持部材２７は上下動が不可能になっており、常に同一高さに位置している。そして、取出対象不要部４ｙを保持した第三保持部材２８の移動中には、第二保持部材２７は一対の爪部２７ａ，２７ａを開状態に維持する。本実施形態の変形例として、第三保持部材２８に代えて、第二保持部材２７の上下動が可能な構成としてもよいし、第三保持部材２８に加えて、第二保持部材２７も上下動が可能な構成としてもよい。つまり、第二保持部材２７と第三保持部材２８との少なくとも一方が、取出経路Ｒ２に沿って上下動が可能であればよい。
【００５３】
以下、製造装置１を用いた本製造方法の具体的な態様について説明する。なお、以下の説明で参照する各図面では、各図面で説明する工程にて主として機能する部材以外は、断りなく図示を省略している。また、本製造方法において、搬送中にガラス板４の先頭部となる側の不要部４ａと、最後部となる側の不要部４ａとの取り扱いは同様であるので、先頭部となる側の不要部４ａにのみ着目して説明する。
【００５４】
本製造方法においては、はじめに、切断室３内で縦姿勢のガラス板４から不要部４ａを切断して分離させる切断工程を実行する。
【００５５】
切断工程の実行にあたり、スクライブ線Ｓが形成済みのガラス板４が折割機構２１に搬入されてくると、第一保持部材８の吸着部２６が不要部４ａの吸着保持を開始する。さらに、図３に示すように、製品部４ｂにおけるスクライブ線Ｓの近傍を一対の支持バー２４，２４により支持しつつ、折割バー２５により不要部４ａを裏面側に押し込む。これにより、表面側（スクライブ線Ｓが形成された面側）が凸となるようにスクライブ線Ｓの周辺部が湾曲し、やがて図４に示すように、ガラス板４が折り割られて切断される。この時点でガラス板４から不要部４ａが分離される。以上により切断工程が完了する。切断後の不要部４ａは、依然として第一保持部材８により保持された状態にある。
【００５６】
切断工程が完了すると、次いで、切断後の不要部４ａを廃棄対象不要部４ｘとして廃棄室２に廃棄する廃棄工程、若しくは、切断後の不要部４ａを取出対象不要部４ｙとして切断室３外に取り出す取出工程のいずれかを実行する。まず、廃棄工程を実行する場合について説明する。
【００５７】
廃棄工程の実行にあたっては、図５に示すように、まず、第一保持部材８が保持した廃棄対象不要部４ｘを移送経路に沿って受取位置Ｐ１まで移動させる。次に、第一保持部材８が吸着部２６による廃棄対象不要部４ｘの吸着保持を解除すると共に、吸着部２６から案内部材１８に向かう方向に吸着破壊ガスＧを噴射する。これに伴って、廃棄対象不要部４ｘを縦姿勢のまま案内部材１８側に誘導しつつ廃棄口１２に向けて落下させる。このようにして廃棄口１２を通じて切断室３から廃棄室２に排出された廃棄対象不要部４ｘは、廃棄室２に配置された収容容器１７内に収容される。以上により廃棄工程が完了する。なお、廃棄対象不要部４ｘと分離させた後のガラス板４は、廃棄対象不要部４ｘが搬送経路Ｒ１から離間した受取位置Ｐ１に移動した後、折割機構２１から搬出して搬送経路Ｒ１の下流側に搬送される。これにより、廃棄対象不要部４ｘと、これと分離後のガラス板４との衝突が回避される。
【００５８】
次いで、取出工程を実行する場合について説明する。なお、取り出した後の取出対象不要部４ｙは、例えば、切断面（製品部４ｂと分断された面）の検査に付し、スクライブ線Ｓの深さや、深さの均一性等の検査を行う。
【００５９】
取出工程の実行にあたっては、まず、上記の廃棄工程の実行時と同様にして、第一保持部材８が保持した取出対象不要部４ｙを移送経路に沿って受取位置Ｐ１（廃棄位置Ｐ１）まで移動させる。次に、図６に示すように、受取位置Ｐ１で待機した第二保持部材２７が、一対の爪部２７ａ，２７ａを開状態から閉状態に移行させ、取出対象不要部４ｙを保持する。この時点においては、第一保持部材８と第二保持部材２７との双方が取出対象不要部４ｙを保持した状態にある。なお、取出対象不要部４ｙと分離させた後のガラス板４は、取出対象不要部４ｙが搬送経路Ｒ１から離間した受取位置Ｐ１に移動した後、折割機構２１から搬出して搬送経路Ｒ１の下流側に搬送される。
【００６０】
次に、図７に示すように、第一保持部材８が吸着部２６による取出対象不要部４ｙの吸着保持を解除すると共に、吸着部２６から吸着破壊ガスＧを噴射する。これに伴って、第一保持部材８から第二保持部材２７に取出対象不要部４ｙが受け渡される。その後は、第一保持部材８から取出対象不要部４ｙを受け取った第二保持部材２７が、受取位置Ｐ１から退避位置Ｐ２まで移動する。これにより、取出対象不要部４ｙが取出経路Ｒ２の始端に到達する。
【００６１】
次に、図８に示すように、第二保持部材２７が取出対象不要部４ｙを保持した状態の下、ストローク下端で待機した第三保持部材２８が、一対の爪部２８ａ，２８ａを開状態から閉状態に移行させ、取出対象不要部４ｙを保持する。この時点においては、第二保持部材２７と第三保持部材２８との双方が取出対象不要部４ｙを保持した状態にある。
【００６２】
次に、図９に示すように、第二保持部材２７が、一対の爪部２７ａ，２７ａを閉状態から開状態に移行させ、第二保持部材２７が取出対象不要部４ｙの保持を解除する。これに伴い、第二保持部材２７から第三保持部材２８に取出対象不要部４ｙが受け渡される。取出対象不要部４ｙを受け渡した後の第二保持部材２７は、一対の爪部２７ａ，２７ａを開状態に維持して待機する。
【００６３】
次に、図１０に示すように、取出対象不要部４ｙを保持した状態の第三保持部材２８が、ストローク下端から上方に移動を開始し、取出対象不要部４ｙを持ち上げて取出経路Ｒ２の下流側に送る。そして、第三保持部材２８がストローク上端に到達すると移動が停止し、取出対象不要部４ｙの上部が取出口１３に面した状態となる。つまり、取出対象不要部４ｙの上部が取出経路Ｒ２の終端に到達する。取出口１３の外（切断室３の外）には、取出対象不要部４ｙを複数の小部位に切断するための作業者が待機している。
【００６４】
次に、図１１に示すように、一対の爪部２７ａ，２７ａを開状態として待機していた第二保持部材２７が、再び一対の爪部２７ａ，２７ａを開状態から閉状態に移行させ、第二保持部材２７が取出対象不要部４ｙを保持する。これにより、再び第二保持部材２７と第三保持部材２８との双方が取出対象不要部４ｙを保持した状態となる。
【００６５】
次に、図１２に示すように、第三保持部材２８が、一対の爪部２８ａ，２８ａを閉状態から開状態に移行させ、第三保持部材２８が取出対象不要部４ｙの保持を解除する。これに伴って、第三保持部材２８から第二保持部材２７に取出対象不要部４ｙが受け渡される。取出対象不要部４ｙを受け渡した後の第三保持部材２８は、一対の爪部２８ａ，２８ａを開状態に維持する。
【００６６】
次に、図１３に示すように、第三保持部材２８が、一対の爪部２８ａ，２８ａを開状態に維持しつつ、ストローク上端からストローク下端まで下方に移動する。その後は、図１４に示すように、ストローク下端に到達した第三保持部材２８が、再び一対の爪部２８ａ，２８ａを開状態から閉状態に移行させ、第三保持部材２８が取出対象不要部４ｙを保持する。これにより、再び第二保持部材２７と第三保持部材２８との双方により取出対象不要部４ｙが保持される。
【００６７】
次に、図１５に示すように、取出口１３の外で待機していた作業者が、取出口１３を通じて取出対象不要部４ｙの上部を切断すると共に、切断後の上部を採取対象部４ｙａとして採取する。この上部の切断は、例えば、取出対象不要部４ｙの幅方向（Ｘ方向）に沿ってスクライブ線を形成すると共に、スクライブ線に沿って取出対象不要部４ｙを折り割って切断することで行う。切断後の採取対象部４ｙａは、作業者が取出口１３を通じて切断室３の外に取り出す。
【００６８】
その後、図１６に示すように、再び一対の爪部２７ａ，２７ａを閉状態から開状態に移行させ、第二保持部材２７が取出対象不要部４ｙの保持を解除すると共に、第三保持部材２８をストローク下端からストローク上端まで上方に移動させる。これに伴い、再び第三保持部材２８が取出対象不要部４ｙを持ち上げ、その上部が取出口１３に面した状態となる。以降については、既述の動作を第二保持部材２７と第三保持部材２８と作業者とが繰り返すことで、取出対象不要部４ｙの上部を繰り返し採取対象部４ｙａとして切り出していく。これにより、最終的には、取出対象不要部４ｙの全体を複数の小部位（複数の採取対象部４ｙａ）に分割した上で取出口１３から取り出す。以上により取出工程が完了する。
【００６９】
ここで、上記の切断工程および廃棄工程は、取出工程と並行して実行することが好ましい。詳述すると、取出工程において、取出対象不要部４ｙを第二保持部材２７に受け渡した後の第一保持部材８は、再び廃棄対象不要部４ｘの保持および保持の解除を行うことが可能な状態となる。従って、受け渡し後に第二保持部材２７と第三保持部材２８と作業者とで取出工程における残りの作業を継続しつつ、これと並行して第一保持部材８を利用して新たなガラス板４を対象とする切断工程および廃棄工程を実行することが可能である。
【００７０】
さらに、取出工程の途中の段階において、例えば、取出対象不要部４ｙに割れが発生したような場合、或いは、割れが発見されたような場合には、第二保持部材２７および第三保持部材２８の双方について、取出対象不要部４ｙの保持の解除を行い、取出対象不要部４ｙを落下させてもよい。すなわち、取出工程を中止しても構わない。このとき、取出経路Ｒ２が廃棄口１２上に位置していることから、落下した取出対象不要部４ｙは廃棄口１２を通じて廃棄室２に排出されて廃棄される。
【００７１】
以下、製造装置１および本製造方法による主たる作用・効果について説明する。
【００７２】
製造装置１および本製造方法によれば、切断前後で不要部４ａを保持する第一保持部材８が、そのまま切断後の不要部４ａを廃棄対象不要部４ｘとして廃棄口１２に向けて落下させ、これに伴って廃棄対象不要部４ｘが切断室３外に排出されて廃棄される。その結果、廃棄対象不要部４ｘを効率的に廃棄することが可能となる。
【００７３】
ここで、本発明に係るガラス板の製造装置および製造方法は、上記の実施形態で説明した構成や態様に限定されるものではない。例えば、上記の実施形態では、作業者が取出対象不要部４ｙの上部を切断して分離させているが、公知の切断装置を用いて上部の切断を行ってもよい。また、上記の実施形態では、取出対象不要部４ｙの保持のために、第二保持部材２７（第三保持部材２８）が一対の爪部２７ａ，２７ａ（２８ａ，２８ａ）を備える構成となっているが、この限りではない。第二保持部材２７（第三保持部材２８）が取出対象不要部４ｙの保持のために、吸着部を備える構成としてもよい。
【００７４】
上記の実施形態では、搬送中にガラス板４の先頭部となる側の不要部４ａと、最後部となる側の不要部４ａのそれぞれについて、第一保持部材８の保持の解除に伴って落下する不要部４ａを受け入れる廃棄口１２を設けるが、先頭部となる側の不要部４ａと最後部となる側の不要部４ａのいずれか一方のみを、落下に伴って廃棄口１２で受け入れる構成としてもよい。
【００７５】
上記の実施形態では、搬送中にガラス板４の先頭部となる側の不要部４ａと、最後部となる側の不要部４ａのそれぞれについて、取出機構７を設けるが、先頭部となる側の不要部４ａと最後部となる側の不要部４ａのいずれか一方のみを取出機構７で取り出す構成としてもよい。
【符号の説明】
【００７６】
１          ガラス板の製造装置
３          切断室
４          ガラス板
４ａ        不要部
４ｘ        廃棄対象不要部
４ｙ        取出対象不要部
４ｙａ      採取対象部
６          切断機構
７          取出機構
８          第一保持部材
１２        廃棄口
１３        取出口
１８        案内部材
２６        吸着部
２７        第二保持部材
２８        第三保持部材
Ｂ          移送経路
Ｇ          吸着破壊ガス
Ｐ１        受取位置（廃棄位置）
Ｐ２        退避位置
Ｒ１        搬送経路
Ｒ２        取出経路
【図１】
2020176038.tif 000003
【図２】
2020176038.tif 000004
【図３】
2020176038.tif 000005
【図４】
2020176038.tif 000006
【図５】
2020176038.tif 000007
【図６】
2020176038.tif 000008
【図７】
2020176038.tif 000009
【図８】
2020176038.tif 000010
【図９】
2020176038.tif 000011
【図１０】
2020176038.tif 000012
【図１１】
2020176038.tif 000013
【図１２】
2020176038.tif 000014
【図１３】
2020176038.tif 000015
【図１４】
2020176038.tif 000016
【図１５】
2020176038.tif 000017
【図１６】
2020176038.tif 000018